(57)【要約】  電気機械は、固定子（１０１）と回転子（１０４）とを備える。固定子は、フレーム構造（１０２）と、該フレーム構造の内部の電磁的活性部分（１０３）と、を有する。回転子は、シャフト（１０５）と、固定子の電磁的活性部分と協働してトルクを生成するための電磁的活性部分（１０６）と、を有する。電気機械は、フレーム構造の内部に配置されているとともに回転子を固定子に対して回転可能に支持し得るように構成された軸受（１０７〜１０９）を備える。シャフトを支持するための磁気軸受モジュール（１１０）が、フレーム構造と該磁気軸受モジュールとが軸線方向において連続するようにしてフレーム構造の外面に対して取り付けられている。磁気軸受モジュールは、フレーム構造から非破壊的に取り外し可能とされた交換可能な構成部材である。よって、電気機械は、適切な磁気軸受モジュールを選択することにより、様々な機械的負荷に対して適合することができる。【選択図】図１
2020526166.tif 000002
【特許請求の範囲】
【請求項１】
電気機械（１００）を備えた電気機械システムであって、
前記電気機械は、
フレーム構造（１０２、２０２）と、該フレーム構造の内部の電磁的活性部分（１０３、２０３）と、を備えた固定子（１０１、２０１）と、
シャフト（１０５、２０５）と、前記固定子の前記電磁的活性部分と協働してトルクを生成するための電磁的活性部分（１０６）と、を備えた回転子（１０４、２０４）と、
前記回転子を前記固定子に対して回転可能に支持するとともに前記フレーム構造の内部にある軸受（１０７〜１０９、２０７〜２０９）と、を備え、
前記電気機械システムは、前記シャフトを支持するように構成された磁気軸受モジュール（１１０、２１０ａ〜２１０ｃ）であるとともに、前記フレーム構造と該磁気軸受モジュールとが軸線方向において連続するようにして前記フレーム構造の外面に対して取り付けられた磁気軸受モジュールを、さらに備え、
前記磁気軸受モジュールは、前記フレーム構造から非破壊的に取り外し可能とされた交換可能な構成部材である、ことを特徴とする電気機械システム。
【請求項２】
前記フレーム構造は、前記固定子の前記電磁的活性部分を囲む管状部分（１１１、２１１）と、該管状部分に対して取り付けられ、前記シャフトのための開口を有する端部シールド（１１２、２１２）と、を備え、
前記磁気軸受モジュールは、前記端部シールドに対して取り付けられている、請求項１に記載の電気機械システム。
【請求項３】
前記磁気軸受モジュールは、径方向の磁気軸受（１１３）を備える、請求項１又は２に記載の電気機械システム。
【請求項４】
前記磁気軸受モジュールは、ロータディスク（１１５）を有する軸線方向の磁気軸受（１１４）を備える、請求項１〜３のいずれか一項に記載の電気機械システム。
【請求項５】
前記磁気軸受モジュールは、コニカル磁気軸受（２１９）を備える、請求項１又は２に記載の電気機械システム。
【請求項６】
前記磁気軸受モジュールの固定子部分は、前記シャフトを囲むようにして互いに取り付け可能とされた少なくとも２つのセクター（２２１ａ、２２１ｂ）を備え、
前記磁気軸受モジュールの前記固定子部分は、前記シャフトの自由端を必要とすることなく、取り付け可能とされている、請求項１〜５のいずれか一項に記載の電気機械システム。
【請求項７】
前記フレーム構造の内部の前記軸受（１０７〜１０９、２０７〜２０９）は、軸線方向において前記回転子の前記電磁的活性部分の両サイドに配置された、第１磁気軸受及び第２磁気軸受を備える、請求項１〜６のいずれか一項に記載の電気機械システム。
【請求項８】
前記磁気軸受モジュールは、前記磁気軸受モジュールに対して固定された径方向の基準位置に対しての前記シャフトの径方向位置と、前記磁気軸受モジュールに対して固定された軸線方向の基準位置に対しての前記シャフトの軸線方向位置と、のうちの少なくとも一方を示す位置信号を生成するための位置センサ（１１６）を備える、請求項１〜７のいずれか一項に記載の電気機械システム。
【請求項９】
前記電気機械システムは、前記シャフトの振動を減衰させるように前記磁気軸受ユニット（１１０）を制御するための第１コントローラ（１３０ａ）と、前記電気機械（１００）の前記磁気軸受（１０７〜１０９）を制御するための第２コントローラ（１３０ｂ）と、を備える、請求項１〜８のいずれか一項に記載の電気機械システム。
【請求項１０】
電気的駆動装置を実装するための製品セットであって、
前記製品セットは、電気機械（２００）を備え、
前記電気機械は、
フレーム構造（２０２）と、該フレーム構造の内部の電磁的活性部分（２０３）と、を備えた固定子（２０１）と、
シャフト（２０５）と、前記固定子の前記電磁的活性部分と協働してトルクを生成するための電磁的活性部分（２０６）と、を備えた回転子（２０４）と、
前記回転子を前記固定子に対して回転可能に支持し、前記フレーム構造の内部にある軸受（２０７〜２０９）と、を備え、
前記製品セットは、
前記シャフトを支持するための第１磁気軸受モジュール（２１０ａ）であるとともに、前記フレーム構造と該磁気軸受モジュールとが軸線方向において連続するようにして前記フレーム構造の外面に対して取り付け可能とされた第１磁気軸受モジュールであって、互いから非破壊的に取り外し可能とされた第１磁気軸受モジュールと、
前記シャフトを支持するための少なくとも１つの第２磁気軸受モジュール（２１０ｂ、２１０ｃ）であるとともに、前記フレーム構造と該第２磁気軸受モジュールとが軸線方向において連続するようにして前記フレーム構造の前記外面上の、前記第１磁気軸受モジュールが取り付け可能とされているのと同じ場所に対して取り付け可能とされた第２磁気軸受モジュールであって、互いから非破壊的に取り外し可能とされた少なくとも１つの第２磁気軸受モジュールと、をさらに備え、
前記第２磁気軸受モジュールは、前記第１磁気軸受モジュールの対応する力発生磁気要素とは異なる寸法とされた力発生磁気要素を有する、ことを特徴とする製品セット。
【請求項１１】
前記フレーム構造は、前記固定子の前記電磁的活性部分を囲む管状部分（２１１）と、該管状部分に対して取り付けられ、前記シャフトのための開口を備えた端部シールド（２１２）と、を備え、
前記第１磁気軸受モジュール及び前記第２磁気軸受モジュールの各々は、前記端部シールドに対して取り付け可能とされている、請求項１０に記載の製品セット。
【請求項１２】
前記磁気軸受モジュール（２１０ａ、２１０ｃ）のうちの少なくとも１つは、径方向の磁気軸受を備える、請求項１０又は１１に記載の製品セット。
【請求項１３】
前記磁気軸受モジュール（１１０）のうちの少なくとも１つは、ロータディスクを有する軸線方向の磁気軸受を備える、請求項１０〜１２のいずれか一項に記載の製品セット。
【請求項１４】
前記磁気軸受モジュール（２１０ｂ）のうちの前記少なくとも１つの磁気軸受モジュールは、コニカル磁気軸受（２１９）を備える、請求項１０又は１１に記載の製品セット。
【請求項１５】
前記磁気軸受モジュール（２１０ｃ）のうちの少なくとも１つの磁気軸受モジュールの固定子部分は、前記シャフトを囲むようにして互いに取り付け可能とされた少なくとも２つのセクター（２２１ａ、２２１ｂ）を備え、
前記磁気軸受モジュールの前記固定子部分は、前記シャフトの自由端を必要とすることなく、取り付け可能とされている、請求項１０〜１４のいずれか一項に記載の製品セット。
【請求項１６】
前記磁気軸受モジュール（２１０ａ、２１０ｂ）のうちの少なくとも１つは、前記磁気軸受モジュールに対して固定された径方向の基準位置に対しての前記シャフトの径方向位置と、前記磁気軸受モジュールに対して固定された軸線方向の基準位置に対しての前記シャフトの軸線方向位置と、のうちの少なくとも一方を示す位置信号を生成するための位置センサを備える、請求項１０〜１５のいずれか一項に記載の製品セット。
【発明の詳細な説明】
【技術分野】
【０００１】
本開示は、概して、回転電気機械に関する。より詳細には、本開示は、様々な機械的負荷に対して適合し得る電気機械システムに関する。さらに、本開示は、電気的駆動装置を実装するための製品セットに関する。
【背景技術】
【０００２】
電気機械が作業機械に対して接続されている電気的駆動装置においては、作業機械は、静的な力を、及び／又は、時間変動する軸線方向の力を、及び／又は、時間変動する径方向の力を、電気機械のシャフトに対して伝達することがあり得る。作業機械は、例えば、圧縮機、タービン、ポンプ、電気モータによって駆動されるいくつかの他の機械的デバイス、あるいは、発電機を駆動するいくつかの他の機械的デバイスであってもよい。電気機械のシャフトに対して伝達される軸線方向及び／又は径方向の力は、作業機械の特性に依存する。したがって、機械的な力が同じである様々な作業機械であっても、接続された電気機械のシャフトに対して伝達される径方向及び／又は軸線方向の力は、著しく相違することがあり得る。よって、電気機械が様々な作業機械に対して互換性を有するためには、電気機械の軸受は、様々な静的な力、及び／又は、時間変動する様々な径方向の力、及び／又は、時間変動する様々な軸線方向の力、を支持するのに適している必要がある。
【発明の概要】
【発明が解決しようとする課題】
【０００３】
上記の要求は、磁気軸受を備えた電気機械においては、困難なものであり得る。特に高速用途においては、様々な作業機械のための充分なパワーを有した電気機械であっても、典型的には、これらの作業機械のそれぞれを駆動するには、そのままでは適していない。なぜなら、それら作業機械どうしの間においては、電気機械のシャフトに対して伝達される、静的な力、及び／又は、時間変動する軸線方向の力、及び／又は、時間変動する径方向の力、に関して、相違が著しく大きい可能性があるからである。そのため、多くの場合、作業機械と、磁気軸受を有した高速電気機械と、を完全に一体化することが要望される。そのような完全な一体化は、困難な可能性があり、完全な一体化の必要性は、市場での磁気軸受技術のより広い応用にとって、ショーストッパでさえあり得る。
【課題を解決するための手段】
【０００４】
以下においては、様々な発明の実施形態のいくつかの見地に関する基本的な理解を提供し得るよう、簡略化された概要を提示する。該概要は、本発明を広範に概観するものではない。該概要は、本発明の主要な又は重要な要素を特定することを意図するものではなく、また、本発明の範囲を境界付けすることを意図するものでもない。以下の概要は、本発明の好ましい実施形態のより詳細な説明に対する前置きとして、本発明のいくつかの概念を、単純化された態様で、単に提示するに過ぎない。
【０００５】
本発明によれば、モータとしてあるいは発電機として機能し得る新規な電気機械システムが提供される。本発明による電気機械システムは、電気機械を備え、該電気機械は、
フレーム構造と、該フレーム構造の内部の電磁的活性部分と、を備えた固定子と、
シャフトと、固定子の電磁的活性部分と協働してトルクを生成するための電磁的活性部分と、を備えた回転子と、
回転子を固定子に対して回転可能に支持するとともにフレーム構造の内部にある軸受と、を備える。
【０００６】
電気機械システムは、シャフトを支持し得るように構成された磁気軸受モジュールであって、フレーム構造と該磁気軸受モジュールとが軸線方向において連続するようにしてフレーム構造の外面に対して取り付けられた磁気軸受モジュールを、さらに備える。磁気軸受モジュールは、フレーム構造から非破壊的に取り外し可能とされた交換可能な構成部材である。よって、電気機械は、適切な磁気軸受モジュールを選択することにより、様々な作業機械に対して適合することができる。電気機械の上記の軸受は、例えば、磁気軸受を備えることができる。しかしながら、上記のタイプの磁気軸受モジュールが、作業機械に対して互換的であるために、例えばガス軸受などの、磁気軸受以外の軸受を備えた電気機械の適合のために使用されることも、また、可能である。
【０００７】
本発明によれば、また、電気的駆動装置を実装するための新規な製品セットが提供される。本発明による製品セットは、電気機械を備え、該電気機械は、
フレーム構造と、該フレーム構造の内部の電磁的活性部分と、を備えた固定子と、
シャフトと、固定子の電磁的活性部分と協働してトルクを生成するための電磁的活性部分と、を備えた回転子と、
回転子を固定子に対して回転可能に支持するとともにフレーム構造の内部にある軸受と、を備える。
【０００８】
製品セットは、
シャフトを支持するための第１磁気軸受モジュールであり、フレーム構造と該第１磁気軸受モジュールとが軸線方向において連続するようにしてフレーム構造の外面に対して取り付け可能とされた第１磁気軸受モジュールであり、さらに、フレーム構造から非破壊的に互いに取り外し可能とされた第１磁気軸受モジュールと、
シャフトを支持するための少なくとも１つの第２磁気軸受モジュールであり、フレーム構造と該第２磁気軸受モジュールとが軸線方向において連続するようにしてフレーム構造の外面上の、第１磁気軸受モジュールが取り付け可能とされているのと同じ場所に対して取り付け可能とされた第２磁気軸受モジュールであり、さらに、フレーム構造から非破壊的に互いに取り外し可能とされた少なくとも１つの第２磁気軸受モジュールと、をさらに備え、第２磁気軸受モジュールは、第１磁気軸受モジュールの対応する力発生磁気要素とは異なる寸法とされた力発生磁気要素を有する。
【０００９】
本発明の非限定的な好ましい実施形態は、添付の従属請求項に記載されている。
【００１０】
特定の非限定的な好ましい実施形態に関する以下の説明を、添付図面と関連して読むことにより、本発明の様々な非限定的な好ましい実施形態は、構造と動作方法との双方に関して、その追加的な目的及び利点と共に、最もよく理解されるであろう。
【００１１】
本明細書においては、「備える」（to comprise）及び「含む」（to include）という動詞は、明記されていない特徴点の存在を除外も要求もしないというオープンな制限として、使用される。従属請求項に記載されている特徴点は、特段に明示的に言及されない限り、相互に自由に組み合わせることができる。さらに、本明細書を通して、“a”又は“an”の使用は、すなわち単数形の使用は、複数を除外しないことを理解されたい。
【００１２】
本発明の非限定的な好ましい実施形態について、及び、それらの利点について、例示の意味合いで、添付図面を参照して、以下においてより詳細に説明する。
【図面の簡単な説明】
【００１３】
【図１】本発明の非限定的な好ましい実施形態による電気機械システムを示す。
【図２ａ】電気的駆動装置を実装するための本発明の非限定的な好ましい実施形態による製品セットを示す。
【図２ｂ】電気的駆動装置を実装するための本発明の非限定的な好ましい実施形態による製品セットを示す。
【発明を実施するための形態】
【００１４】
以下の説明において提供される特定の具体例は、添付の特許請求の範囲及び／又は適用可能性を制限するものとして解釈されるべきではない。以下の説明において提供される具体例のリスト及びグループは、特段に明示的に言及されない限り、網羅的ではない。
【００１５】
図１は、本発明の非限定的な好ましい実施形態による電気機械システムの概略的な断面図を示す。切断面は、座標系１９９のｙｚ平面に対して平行である。電気機械システムは、固定子１０１と回転子１０４とを有した電気機械１００を備える。固定子１０１は、フレーム構造１０２と、該フレーム構造１０２の内部の電磁的活性部分１０３と、を備える。電磁的活性部分１０３は、例えば、強磁性コア構造と、該強磁性コア構造のスロット内に設置された多相巻線と、を備えることができる。回転子１０４は、シャフト１０５と、固定子の電磁的活性部分１０３と協働してトルクを生成するための電磁的活性部分１０６と、を備える。回転子１０４の電磁的活性部分１０６は、例えば、永久磁石、巻線、ケージ巻線、及び／又は、突出性を提供する他の導電性構造及び／又は強磁性構造、を備えることができる。よって、電気機械１００は、例えば、電気励起同期機、永久磁石機械、誘導機、あるいは、リラクタンス機、とすることができる。図１に示す例示的な状況においては、電気機械１００のシャフト１０５は、カップリング１２３を使用して、作業機械１２４に対して結合されている。作業機械１２４は、例えば、圧縮機、タービン、ポンプ、電気機械がモータとして機能するときに電気機械１００によって駆動されるいくつかの他の機械的デバイス、あるいは、電気機械が発電機として機能するときには電気機械１００を駆動するいくつかの他の機械的デバイス、とすることができる。
【００１６】
電気機械１００は、固定子１０１のフレーム構造１０２の内部に配置された軸受１０７、１０８、１０９を備える。軸受１０７〜１０９は、回転子１０４を固定子１０１に対して回転可能に支持し得るように構成されている。該例示的な電気機械１００においては、軸受１０７、１０８は、軸線方向において回転子の電磁的活性部分１０６の両サイドに配置された径方向の磁気軸受である。軸受１０９は、ロータディスク１２０を有した軸線方向の磁気軸受である。電気機械１００は、さらに、軸線方向及び径方向における基準位置に対しての回転子１０４の位置を示す位置信号を生成するための位置センサ１１７、１１８を備える。軸線方向は、座標系１９９のｚ軸に対して平行である。また、非限定的な好ましい実施形態による電気機械システムの電気機械が、図１に示すものとは異なる磁気軸受を備えることも、可能である。磁気軸受は、例えば、コニカル磁気軸受を備えることができる。電気機械１００は、有利には、磁気軸受の故障時に回転子を支持するための、例えば玉軸受又はすべり軸受などのタッチダウン軸受を、さらに備える。タッチダウン軸受は、図１には図示されていない。さらに、非限定的な好ましい実施形態による電気機械システムの電気機械は、例えばガス軸受などの、磁気軸受以外のいくつかの他の軸受を備えることも可能である。
【００１７】
電気機械システムは、さらに、シャフト１０５を支持し得るように構成された磁気軸受モジュール１１０であるとともに、フレーム構造と磁気軸受モジュールとが軸線方向において連続するようにして電気機械１００のフレーム構造１０２の外面に対して取り付けられた磁気軸受モジュール１１０を、備える。磁気軸受モジュール１１０は、フレーム構造１０２から非破壊的に取り外し可能とされた交換可能な構成部材である。よって、電気機械１００は、適切な磁気軸受モジュールを選択することにより、様々な作業機械に対して適合することができる。磁気軸受モジュール１１０は、磁気軸受モジュール１１０の磁気軸受の故障時にシャフトを支持するための、例えば玉軸受又はすべり軸受などの１つ又は複数のタッチダウン軸受を備えることができる。タッチダウン軸受は、図１には図示されていない。例示的な電気機械１００においては、フレーム構造１０２は、固定子の電磁的活性部分１０３を囲む管状部分１１１と、該管状部分に対して取り付けられているとともに、シャフト１０５のための開口を有した端部シールド１１２と、を備える。図１に示すように、磁気軸受モジュール１１０は、端部シールド１１２に対して取り付けられている。
【００１８】
図１に示す例示的な電気機械システムにおいては、磁気軸受モジュール１１０は、径方向の磁気軸受１１３と、ロータディスク１１５を有した軸線方向の磁気軸受１１４と、を備える。さらに、磁気軸受モジュール１１０は、磁気軸受モジュールに対して固定された基準位置に対してのシャフトの径方向位置、及び／又は、磁気軸受モジュールに対して固定された基準位置に対してのシャフトの軸線方向位置、を示す位置信号を生成するための位置センサ１１６を備える。
【００１９】
図１に示す電気機械システムを備えた電気的駆動装置は、位置センサ１１６、１１７、１１８によって生成される位置信号に基づいて磁気軸受１０７〜１０９、１１３、１１４を制御するためのコントローラシステム１３０を備える。磁気軸受モジュール１１０の磁気軸受、及び、電気機械１００の磁気軸受は、磁気軸受モジュール１１０の浮揚制御ループと電気機械１００の浮揚制御ループとの間に接続が存在するように、多変数制御によって制御することができる。また、磁気軸受モジュール１１０が、電気機械１００の浮揚制御ループとは個別的な、該磁気軸受モジュール自身の浮揚制御ループによって制御されることも、可能である。磁気軸受モジュール１１０の磁気軸受、及び、電気機械１００の磁気軸受は、有利には、例えば磁気軸受モジュール１１０の径方向の及び／又は軸線方向の磁気軸受が電気機械１００の径方向の及び／又は軸線方向の磁気軸受に対して作用する状況などを回避し得るよう、連携された方法で制御される。作業機械１２４によってシャフト１０５へと伝達される力を支持することに加えて、磁気軸受モジュール１１０は、シャフトの有害な振動を減衰させるために使用することができる。振動の減衰は、すべての磁気軸受に対して連携的多変数制御を使用することによって、行うことができる。あるいは、振動の減衰は、電気機械１００の磁気軸受１０７〜１０９に対しての制御が磁気軸受ユニット１１０によって変更されるべきではない場合には、磁気軸受ユニット１１０に対しての個別的な制御を使用することによって、行うことができる。図１においては、磁気軸受ユニット１１０が磁気軸受１０７〜１０９の制御とは個別的に制御されるという例示的な場合が、磁気軸受ユニット１１０を制御するための第１コントローラ１３０ａ、及び、電気機械１００の磁気軸受１０７〜１０９を制御するための第２コントローラ１３０ｂ、と共に図示されている。
【００２０】
コントローラシステム１３０の実装は、すなわち両コントローラ１３０ａ、１３０ｂの実装は、１つ又は複数のアナログ回路、あるいは、１つ又は複数のデジタル処理回路、あるいは、これらの組合せ、に基づくことができる。各デジタル処理回路は、適切なソフトウェアを備えたプログラマブルプロセッサ回路、あるいは、例えば特定用途向け集積回路「ＡＳＩＣ」などの専用ハードウェアプロセッサ、あるいは、例えばフィールドプログラマブルゲートアレイ「ＦＰＧＡ」などの構成可能なハードウェアプロセッサ、とすることができる。さらに、コントローラシステム１３０は、すなわち両コントローラ１３０ａ、１３０ｂは、各々が例えばランダムアクセスメモリ「ＲＡＭ」回路であり得る１つ又は複数のメモリ回路を備えてもよい。
【００２１】
図２ａは、電気的駆動装置を実装するための本発明の非限定的な好ましい実施形態による製品セットを示す。該製品セットは、電気機械２００と、磁気軸受モジュール２１０ａ、２１０ｂ、２１０ｃと、を備える。磁気軸受モジュール２１０ａ〜２１０ｃの各々は、電気機械２００と磁気軸受モジュールとが軸線方向において連続するようにしてかつ互いに非破壊的に取り外し可能であるようにして、電気機械２００に対して取り付け可能である。図２ａにおいては、電気機械２００と磁気軸受モジュール２１０ａ〜２１０ｃとは、切断面が座標系２９９のｙｚ平面に対して平行である概略的な断面図によって、示されている。電気機械２００は、固定子２０１と、回転子２０４と、を備える。固定子２０１は、フレーム構造２０２と、該フレーム構造の内部の電磁的活性部分２０３と、を備える。回転子２０４は、シャフト２０５と、固定子の電磁的活性部分２０３と協働してトルクを生成するための電磁的活性部分２０６と、を備える。電気機械２００は、回転子２０４を固定子２０１に対して回転可能に支持するために、径方向の磁気軸受２０７、２０８と、軸線方向の磁気軸受２０９と、を備える。磁気軸受２０７〜２０８は、フレーム構造２０２の内部に配置されている。該例示的な場合においては、上記のフレーム構造２０２は、固定子の電磁的活性部分２０３を囲む管状部分２１１と、該管状部分２１１に対して取り付けられているとともに、シャフト２０５のための開口を有した端部シールド２１２と、を備える。磁気軸受モジュール２１０ａ〜２１０ｃの各々は、端部シールド２１２に対して取り付け可能である。
【００２２】
図２ａに示すように、磁気軸受モジュール２１０ａ〜２１０ｃは、互いに相違する力発生磁気要素を有する。よって、電気機械２００は、磁気軸受モジュール２１０ａ〜２１０ｃのうちの適切な１つを選択することにより、様々な要求に対して適合することができる。磁気軸受モジュール２１０ａは、径方向の磁気軸受と、磁気軸受モジュール２１０ａの軸線方向のカバー範囲内におけるシャフト２０５の径方向位置を示す位置信号を生成するための位置センサと、を備える。位置センサは、例えば、誘導センサとすることができる。さらに、磁気軸受モジュール２１０ａは、例えば焼き嵌めによってシャフト２０５の周囲に組み立てられ得る回転子要素２４０を備える。回転子要素２４０は、有利には、電気的に絶縁された強磁性シートが軸線方向に積層されて構成された積層部分を備える。中実の鋼鉄と比較して、積層部分は、電力損失を引き起こすとともに径方向の磁気軸受の動作を妨害しさらに誘導的位置センサの動作を妨害する渦電流を低減する。磁気軸受モジュール２１０ｂは、コニカル磁気軸受２１９と、磁気軸受モジュール２１０ａの軸線方向のカバー範囲内におけるシャフト２０５の径方向位置を示すとともにシャフト２０５の軸線方向位置を示す位置信号を生成するための位置センサと、を備える。磁気軸受モジュール２１０ｂは、外部の機械システムが、シャフト２０５に対して一方向の軸線方向の力を伝達する場合に、適している。磁気軸受モジュール２１０ｃの径方向の磁気軸受は、磁気軸受モジュール２１０ａの径方向の磁気軸受と比較して、軸線方向において、より長いものとされている。磁気軸受モジュール２１０ｃは、位置センサを備えておらず、電気機械２００の位置センサによって生成される位置信号が、磁気軸受モジュール２１０ｃの制御に利用されることが想定されている。磁気軸受モジュール２１０ａ〜２１０ｃが単なる例示に過ぎないこと、及び、本発明の好ましい実施形態による製品セットが、磁気軸受モジュール２１０ａ〜２１０ｃとは異なる磁気軸受モジュールを備え得ることは、注目に値する。
【００２３】
本発明の一実施形態による製品セットの磁気軸受モジュールは、シャフトを囲むようにして互いに取り付け可能とされた少なくとも２つのセクター(sectors)を備えた固定子部分を有することができる。よって、磁気軸受モジュールの固定子部分は、シャフトの自由端を必要とすることなく、取り付けることができる。図２ａに示す製品セットにおいては、磁気軸受モジュール２１０ｃは、シャフト２０５を囲むように互いに取り付け可能とされた２つのセクターを備えた固定子部分を有する。図２ｂは、座標系２９９の正のｚ方向に沿って見たときの、磁気軸受モジュール２１０ｃを示す。図２ｂにおいては、磁気軸受モジュール２１０ｃのセクターは、参照符号２２１ａ、２２１ｂによって示されている。図２ａに関連する切断面は、図２ｂにおいて破線Ａ−Ａによって示されている。当然のことながら、磁気軸受モジュール２１０ａ、２０１ｂも、また、上述の種類の扇形構造(sectored structure)を有することができる。
【００２４】
上記の説明において提供される特定の具体例は、添付の特許請求の範囲及び／又は適用可能性を制限するものとして解釈されるべきではない。上記の説明において提供されている具体例のリスト及びグループは、特段に明示的に言及されない限り、網羅的ではない。
【図１】
2020526166.tif 000003
【図２ａ】
2020526166.tif 000004
【図２ｂ】
2020526166.tif 000005
【国際調査報告】
2020526166.tif 000006
2020526166.tif 000007